(57)【要約】      （修正有）【課題】空気の流れが悪く、狭い槽内や構内の工事の安全性が飛躍的に高まる送排風機と送排風ダクトを提供する。【解決手段】マンホール槽内の新送排風機において、送排風機２が、据え付けられ、排風ダクト接続口３に排風ダクト１が取り付けられ、現場から排気される汚れた空気を排風する。送排風機２は送風取込口４、濃度異常測定器５と送排風ダクト接続口６を持ち、送風取込口４からきれいな空気を吸い込んで現場に送る。送排風ダクト８は、途中に送排風ダクト途中接続口７を持ち、送排風ダクト８はダクトの中に排風部９と送風部１０を持ち、送排風ダクト８を２本から１本にまとめてコンパクトにする。送排風ダクト８は、安全補助ロープ１１、安全吊り金具１２、安全帯用掛金具１３と濃度異常センサー１４を持つ。安全補助ロープ１１は、安全吊り金具１２と送排風ダクト８に沿ってつなぐ。【選択図】図２
2014009931.tif 000002
【特許請求の範囲】
【請求項１】
送排風機に送排風ダクトを接続し運転すると、送風と排風を同時に行う事を特徴とする        
安全装置付き送排風機システム。
【請求項２】
前記送排風機は、排風ダクト用接続口、前記送排風ダクト用接続口、送風取込口と
濃度測定器を有する事を特徴とする請求項１に記載の
安全装置付き送排風機システム
【請求項３】
前記送排風ダクトは、１端部前記送排風機側に前記送排風機用接続口を有し、他端部
末端側に送風口と排風口を有し、内部に前記送風を通す送風部と前記排風を通す排風部
を有し、前記送排風ダクトの外部に安全補助ロープ、前記１端部側に安全吊り金具と
前記他端部側に安全帯用掛金具と濃度異常センサーを有する事を特徴とする
請求項１、２に記載の
安全装置付き送排風機システム
【発明の詳細な説明】
【技術分野】
【０００１】
最近、マンホールポンプ場の更新工事が、増えてきました。
設備が、新設した時から、１５年以上たち、古くなってきて、
マンホールポンプ場の中の、ポンプ、仕切弁、逆止弁、配管材や
支持金物等をそっくり交換して、オーバーホールする工事です。
【０００２】
この種類の工事の難しい点は、現在使用中のマンホールは、１００％流入が、
止められないことです。
２４時間汚物が、マンホールの中に流入していて、その汚物を街中に溢れさせる
ことなく、更新工事を進めなければなりません。
【０００３】
作業開始は、マンホールの蓋を開ける所から始まります。蓋を開けて、
マンホール槽内の酸素濃度、硫化水素濃度を測定し、異常数値でなければ、
作業開始になり、送風機と排気ファンを設置し、運転して、マンホール槽内の酸素の確保、硫化水素の排出と異常な臭気を排除し、高圧洗浄水を使って、
槽内をできるだけきれいにし、作業開始します。  
【背景技術】
【０００４】
特願2007-126148号が、送排風機が、述べられています。
【先行技術文献】
【特許文献】
【０００５】
【特許文献１】特願2007-126148号
【発明の概要】
【発明が解決しようとする課題】
【０００６】
先日作業した時に、狭いマンホール槽内で、流入が激しい中での作業でしたので、いくつか問題が出ました。
【０００７】
第１の問題は、狭いスペースでの2人作業なのに、排風ファンのダクトと送風ファンのダクトをおろしたら、2本分の場所を取って、登り降りや作業中に、
邪魔になった。
【０００８】
第２の問題は、酸欠等で作業員に問題が発生した時、下に降りていっても間に合わないので、直ぐに、引き上げられるように、作業員の腰にロープを付けてもらったけど、ロープが、ポンプに巻き込まれて、危ない状態が発生したので、慌ててポンプを止めた。監視人が、作業者の異常を発見した時に、現場に行かず、遠方から、助けてやれる方法が、絶対に必要である。
【０００９】
第３の問題は、監視人が、酸素や硫化水素の濃度測定をしているけど、警報の確認をして、現場におろしていたが、現場でも警報が、常時、即、確認出来る必要があると考えた。
以上、3つの問題を解決する事を課題とします。
【課題を解決するための手段】
【００１０】
第１の問題は、現在、一般的に使われているポータブル型送排風機は、羽が、
1枚内蔵されていて、回転方向は、1方向で、片側が排風、もう片側が、送風に
なっていて、排風側にダクトを繋ぐと排風用ダクトになり、送風側にダクトを
繋ぐと送風用ダクトに成ります。その為に、１台のポータブル型送排風機の送風
側に送風側ダクトをつなぎ、排風側に排風ダクトをつなぎ、両ダクト先端を現場
に入れると、排風ダクトで吸った汚い空気を送排風機に戻し、送排風機と送風
ダクトを経由して、もとの現場に戻す最悪の状態に成ります。
現場では、汚い空気を排気して、外のきれいな空気を補充する必要があります
ので、１台の送排風機では、無理があり、２台の送排風機と２台のダクトが、
必要となります。
その結果、狭いマンホールの中では、結構、場所をとります。
そこで、送排風機が、１台で、送風と排風の役目をし、且つ、１本の送排風
ダクトの中に送風部と排風部を持った、コンパクトな送排風機と送排風ダクトが、
必要になります。
【００１１】
第２の問題は、何かあった時に、すぐに助けてやれる方法を開発します。    
上から助けに行くと、その人も巻き込まれる危険性が有ります。すぐに助けて
やれる方法は、１つしかありません。
下の作業者の最も近くにあるのは、送排風ダクトの先端部です。作業者の近くで、
汚い空気を吸い込んでやり、きれいで、新鮮な空気を送風してくれています。
作業者は、いつも、送排風ダクトを身近に置いています。
送排風ダクト先端に安全帯用掛金具を設けて、安全補助ロープを上まで送排風
ダクトに沿わせて張りましょう。下の現場で、異常が発生し、作業者が、上に
登れなくなったら、安全補助ロープで上に、作業者を引き上げましょう。
クレーンが有れば、クレーンのフックを安全吊り金具にかけて、釣り上げて、
作業者の安全を迅速に確保しましょう。
【００１２】
第３の問題は、送排風機に濃度測定器を取り付けし、送排風ダクトの先端部近く
に、濃度センサーと警報器を取り付ければ、作業者が、異常をいち早く確認し、
異常事態への対応が迅速に取れます。
【００１３】
送排風機に送排風ダクトを接続し運転すると、送風と排風を同時に行う事を
特徴とします。
【００１４】
前記送排風機は、排風ダクト用接続口、前記送排風ダクト用接続口、送風取込口
と濃度測定器を有する事を特徴とします。
【００１５】
前記送排風ダクトは、１端部前記送排風機側に前記送排風機用接続口を有し、
他端部末端側に送風口と排風口を有し、内部に前記送風を通す送風部と前記排風
を通す排風部を有し、前記送排風ダクトの外部に安全補助ロープ、前記１端部側
に安全吊り金具と前記他端部側に安全帯用掛金具と濃度異常センサーを有する事
を特徴とします。
【発明の効果】
【００１６】
空気の流れが悪く、狭い槽内や構内の工事の安全性が飛躍的に高まる。
【図面の簡単な説明】
【００１７】
【図１】槽内外の新送排風機設置イメージ図
【図２】ダクト内同心円状配置イメージ図
【図３】ダクト内並列配置イメージ図
【図４】緊急時イメージ図
【符号の説明】
【００１８】
１            排風ダクト
２            送排風機
３            排風ダクト接続口
４            送風取込口
５            濃度異常測定器
６            送排風ダクト接続口
７            送排風ダクト途中接続口        
８            送排風ダクト
９            排風部
１０            送風部
１１            安全補助ロープ
１２            安全吊り金具
１３            安全帯用掛金具
１４            濃度異常センサー  
１５            送風口
１６            排風口
【発明を実施するための形態】
【００１９】
以下、本発明の実施の形態を図に基づいて説明します。                  
図１の図面は、マンホール槽内の新送排風機設置イメージ図です。
送排風機２が、据え付けられ、排風ダクト接続口３に排風ダクト１が
取り付けられ、現場から排気される、汚れた空気を排風します。
【００２０】
送排風機２は、送風取込口４、濃度異常測定器５と送排風ダクト接続口６を持ち、
送風取込口４からきれいな空気を吸い込んで現場に送ります。送排風ダクト８は、途中
に送排風ダクト途中接続口７を持ち、送排風ダクト８は、ダクトの中に、排風部９と
送風部１０を持ち、送排風ダクト８を２本から１本にまとめて、コンパクトにします。      
【００２１】
送排風ダクト８は、安全補助ロープ１１、安全吊り金具１２、安全帯用掛金具１３と
濃度異常センサー１４を持ちます。
安全補助ロープ１１は、安全吊り金具１２と送排風ダクト８に沿ってつなぎます。          
【００２２】
実際の作業で、作業者は、安全吊り金具１２を安全な物にワイヤーなどで、固定して
安全を確保します。                    
次に、送排風機２を運転します。送排風ダクト８は、汚い空気を排風口１６から吸い
込み、送排風ダクト８を通して、外に排出し、同時にきれいな空気を送風取込口４から
吸い込み、送排風ダクト８を通して送り、送風口１５から、新鮮な空気を現場に送り
ます。                      
【００２３】
作業者は、濃度異常センサー１４で、現場の安全を確認し、現場に移動します。  
現場についた作業者は、安全帯を安全帯用掛金具１３にかけて、安全を確保し、新鮮な
空気を充分に吸いながら作業します。          
【００２４】
作業中、濃度異常センサー１４が、異常警報を出したら、作業者は、速やかに、現場
から避難します。もし、異常事態で、作業員が、動けなくなり、救出も危険が伴う時は、
安全補助ロープ１１を引き上げる事で、作業員を速やかに救出できます。もしクレーン
が近くにあれば、安全吊り金具１２にクレーンのフックをかけて、安全に救出します。      
【００２５】
図２は、送排風ダクト８の内部の内側に排風部9を、外側に送風部１０を同心円状に
配置し、送排風機２も内側を排風が通り、接続した排風ダクト１を通り外側に排出
します。
排風ダクト１を接続する理由は、送風取込口４から新鮮な空気を吸って、現場に送り
ますので、送風取込口４から排風ダクト１の吹き出し口を遠ざけるためです。
【００２６】
図３は、送排風ダクト８の内部に排風部9と送風部１０を並列に配置し、送排風機２も
排風を接続した排風ダクト１を通し外側に排出します。
排風ダクト１を接続する理由は、送風取込口４から新鮮な空気を吸って、現場に送り
ますので、送風取込口４から排風ダクト１の吹き出し口を遠ざけるためです。
【００２７】
図４は、緊急時にクレーンを使っているイメージ図です。
【図１】
2014009931.tif 000003
【図２】
2014009931.tif 000004
【図３】
2014009931.tif 000005
【図４】
2014009931.tif 000006
【手続補正書】
【提出日】平成24年9月3日(2012.9.3)
【手続補正１】
【補正対象書類名】特許請求の範囲
【補正対象項目名】全文
【補正方法】変更
【補正の内容】
【特許請求の範囲】
【請求項１】
送排風機とこれに接続される送排風ダクトから構成され、前記送排風ダクトは、１端部送排風機側に送排風機用接続口を有し、他端部末端側に送風口と排風口を有し、内部に送風を通す送風部と排風を通す排風部を有し、前記送排風ダクトの外部に安全補助ロープ、前記１端部側に安全吊り金具と前記他端部側に安全帯用掛金具と濃度異常センサーを有する事を特徴とする
安全装置付き送排風機システム